(57)【要約】【課題】  取り出し具の先端を外部に露出しない状態で収容することができ、さらに、取り出し具を簡単に出し入れすることができる取り出し具付き容器を提供する。【解決手段】  内容物を収容する容器本体、取り出し具、および、前記容器本体が載置されるトレイを有する取り出し具付き容器であって、前記トレイは、前記容器本体の底面が載置される載置部、および、前記載置部の外周に位置する縁部を有し、前記載置部は、上面が前記容器本体の底面と当接する凹部を有し、前記凹部に前記取り出し具を収容する溝部が形成されており、前記溝部の一端は、前記縁部を横断して開口となっており、前記縁部の他端は、前記載置部内に位置しており、前記取り出し具を前記トレイに収容した時、前記取り出し具は、前記溝部に収容され、前記取り出し具の持ち手側の端部が前記溝部から外部に突出した状態で収容可能である。【選択図】  図１
2020171598.tif 000002
【特許請求の範囲】
【請求項１】
内容物を収容する容器本体、取り出し具、および、前記容器本体が載置されるトレイを有する取り出し具付き容器であって、
前記トレイは、前記容器本体の底面が載置される載置部、および、前記載置部の外周に位置する縁部を有し、
前記載置部は、上面が前記容器本体の底面と当接する凹部を有し、前記凹部に前記取り出し具を収容する溝部が形成されており、
前記溝部の一端は、前記縁部を横断して開口となっており、前記縁部の他端は、前記載置部内に位置しており、
前記取り出し具を前記トレイに収容した時、前記取り出し具は、前記溝部に収容され、前記取り出し具の持ち手側の端部が前記溝部から外部に突出した状態で収容可能であることを特徴とする取り出し具付き容器。
【請求項２】
前記載置部の表面の少なくとも一部に、前記容器本体の底面と接触しない凹状の湾曲面が形成されていることを特徴とする請求項１に記載の取り出し具付き容器。
【請求項３】
前記溝部の底面に前記取り出し具を支持する少なくとも１つの突部が設けられていることを特徴とする請求項１または２に記載の取り出し具付き容器。
【請求項４】
前記載置部内において前記溝部の幅は、前記載置部と前記縁部との境界において、他の箇所よりも狭くなっていることを特徴とする請求項１〜３のいずれか１項に記載の取り出し具付き容器。
【請求項５】
前記縁部の上面が、前記載置部との境界から外側に向かって下方に傾斜していることを特徴とする請求項１〜４のいずれか１項に記載の取り出し具付き容器。
【請求項６】
前記縁部の一部が外側に突出していることを特徴とする請求項１〜５のいずれか１項に記載の取り出し具付き容器。
【請求項７】
前記縁部の上面を上下に貫通する貫通孔が設けられており、前記貫通孔に前記取り出し具を挿入することにより、前記取り出し具を立てた状態で保持することができることを特徴とする請求項１〜６のいずれか１項に記載の取り出し具付き容器。
【請求項８】
前記縁部に、前記貫通孔から下方に延伸するリブが設けられており、
前記取り出し具を前記貫通孔に挿入した時に、前記リブによって、前記取り出し具の傾きが制限されることを特徴とする請求項７に記載の取り出し具付き容器。
【発明の詳細な説明】
【技術分野】
【０００１】
本発明は、内容物および取り出し具を収容可能な取り出し具付き容器に関する。
【背景技術】
【０００２】
化粧料などの内容物を収容する容器には、化粧料を塗布するためのスパチュラなどの取り出し具が付属されている場合があり、そのために前記取り出し具を収容する構造が設けられている。例えば、特許文献１のように、容器本体の首部に、平板状リング体に挿通孔を設けた保持具を取り付けて、挿通孔に塗布具を挿入して保持する構造が用いられている。その他に、特許文献２のように、取り出し具付き容器の中蓋にスパチュラを収容する構造も存在しており、付属の取り出し具を収容するために様々な容器の構造が用いられている。
【先行技術文献】
【特許文献】
【０００３】
【特許文献１】特開２００４−２０１９７０号公報
【特許文献２】特開２０１１−２３４７６３号公報
【発明の概要】
【発明が解決しようとする課題】
【０００４】
しかしながら、スパチュラなどの取り出し具を立てた状態で保持した場合、内容物が取り出し具に付着した状態で外部に露出された状態となり、不衛生であるという問題がある。また、中蓋に取り出し具を収容する場合、取り出し具を中蓋内に収容できる大きさとする必要があり、取り出し具の大きさ、特に長さが制限されるという問題がある。
【０００５】
そこで、本発明は、取り出し具の先端を外部に露出しない状態で、簡単に出し入れ可能に収容することができ、さらに、中蓋から取り出し具の端部が外部に突出するような長い取り出し具を収容することができる取り出し具付き容器を提供することを目的とし、さらに、使用状況に応じて取り出し具を立てた状態で保持することができる取り出し具付き容器を提供することを目的とする。
【課題を解決するための手段】
【０００６】
本発明の取り出し具付き容器は、内容物を収容する容器本体、取り出し具、および、前記容器本体が載置されるトレイを有する取り出し具付き容器であって、前記トレイは、前記容器本体の底面が載置される載置部、および、前記載置部の外周に位置する縁部を有し、前記載置部は、上面が前記容器本体の底面と当接する凹部を有し、前記凹部に前記取り出し具を収容する溝部が形成されており、前記溝部の一端は、前記縁部を横断して開口となっており、前記縁部の他端は、前記載置部内に位置しており、前記取り出し具を前記トレイに収容した時、前記取り出し具は、前記溝部に収容され、前記取り出し具の持ち手側の端部が前記溝部から外部に突出した状態で収容可能であることを特徴とする。
【０００７】
前記載置部の表面の少なくとも一部に、前記容器本体の底面と接触しない凹状の湾曲面が形成されている。
【０００８】
前記溝部の底面に前記取り出し具を支持する少なくとも１つの突部が設けられている。
【０００９】
前記載置部内において前記溝部の幅は、前記載置部と前記縁部との境界において、他の箇所よりも狭くなっている。
【００１０】
前記縁部の上面が、前記載置部との境界から外側に向かって下方に傾斜しており、また、前記縁部の一部が外側に突出している。
【００１１】
前記縁部の上面を上下に貫通する貫通孔が設けられており、前記貫通孔に前記取り出し具を挿入することにより、前記取り出し具を立てた状態で保持することができる。
【００１２】
前記縁部に、前記貫通孔から下方に延伸するリブが設けられており、前記取り出し具を前記貫通孔に挿入した時に、前記リブによって、前記取り出し具の傾きが制限される。
【発明の効果】
【００１３】
本発明の取り出し具付き容器は、内容物を収容する容器本体、取り出し具、および、前記容器本体が載置されるトレイを有する取り出し具付き容器であって、前記トレイは、前記容器本体の底面が載置される載置部、および、前記載置部の外周に位置する縁部を有し、前記載置部は、上面が前記容器本体の底面と当接する凹部を有し、前記凹部に前記取り出し具を収容する溝部が形成されており、前記溝部の一端は、前記縁部を横断して開口となっており、前記縁部の他端は、前記載置部内に位置しており、前記取り出し具を前記トレイに収容した時、前記取り出し具は、前記溝部に収容され、前記取り出し具の持ち手側の端部が前記溝部から外部に突出した状態で収容可能であることにより、取り出し具の先端を外部に露出することなく収容することができ、かつ、手を汚すことなく簡単に取り出し具を出し入れすることができるようになり、従来よりも長い取り出し具を収容することができる。
【００１４】
前記載置部の表面の少なくとも一部に、前記容器本体の底面と接触しない凹状の湾曲面が形成されていることにより、前記取り出し具を前記トレイから取り出し易くすることができる。
【００１５】
前記溝部の底面に前記取り出し具を支持する少なくとも１つの突部が設けられていることにより、前記取り出し具の内容物をすくう部分を前記溝部から浮かせることができるようになり、前記取り出し具に付着した内容物が前記トレイに付着するのを防止することができる。
【００１６】
前記載置部内において前記溝部の幅は、前記載置部と前記縁部との境界において、他の箇所よりも狭くなっていることにより、前記溝部は、収容した前記取り出し具の先端部分の周囲の空間が広くなり、前記取り出し具に付着した内容物が前記トレイに付着するのを防止することができる。
【００１７】
前記縁部の上面を上下に貫通する貫通孔が設けられており、前記貫通孔に前記取り出し具を挿入することにより、前記取り出し具を立てた状態で保持することができるようになり、取り出し具を使用している時に、取り出し具を前記トレイに簡単に仮置きすることができるようになる。
【００１８】
前記縁部に、前記貫通孔から下方に延伸するリブが設けられており、前記取り出し具を前記貫通孔に挿入した時に、前記リブによって、前記取り出し具の傾きが制限されることにより、前記貫通孔によって前記取り出し具を安定して保持することができ、また、前記リブの形態によって、前記取り出し具を傾けた状態で保持することも可能となる。
【図面の簡単な説明】
【００１９】
【図１】本発明の第１の実施形態の取り出し具付き容器の斜視図である。
【図２】第１の実施形態の取り出し具付き容器のトレイの斜視図である。
【図３】第１の実施形態の取り出し具付き容器のトレイの平面図である。
【図４】取り出し具を取り外した状態の第１の実施形態の取り出し具付き容器の斜視図である。
【図５】第１の実施形態の取り出し具付き容器のトレイに取り出し具を載せた状態の斜視図である。
【図６】第１の実施形態の取り出し具付き容器のトレイの底面斜視図である。
【図７】第２の実施形態の取り出し具付き容器の斜視図であり、取り出し具を立てて保持した状態を示す。
【図８】第２の実施形態の取り出し具付き容器のトレイの斜視図である。
【図９】本発明の第２の実施形態の取り出し具付き容器の斜視図であり、取り出し具を載置部に収容した状態を示す。
【図１０】第２の実施形態の取り出し具付き容器のトレイの平面図である。
【図１１】第２の実施形態の取り出し具付き容器のトレイに取り出し具を載せた状態の斜視図である。
【図１２】第２の実施形態の取り出し具付き容器のトレイの底面斜視図である。
【発明を実施するための形態】
【００２０】
本発明の取り出し具付き容器１について、図を用いて以下に詳細に説明する。まず初めに、第1の実施形態の取り出し具付き容器１について、図１〜６を用いて説明する。本発明の取り出し具付き容器１は、化粧料などの内容物およびスパチュラなどの取り出し具を収容する容器であり、図１に示すように、内容物を収容する容器本体２、取り出し具３、および、前記容器本体２が載置されるトレイ４を有する。前記容器本体２は、内容物が収容される本体２１および前記本体２１に着脱可能に取り付けられる蓋２２を有し、場合によって中蓋などを備えることも可能であり、従来の様々な形態の容器を用いることができる。前記容器本体２の形状については、底面が前記トレイ４に載せることができればよい。
【００２１】
前記取り出し具３は、内容物が化粧料の場合、従来のスパチュラなどを用いることが可能であるが、先端を直線とすることにより、本体２１内の内容物を隅々まですくい易くすることができる。また、前記取り出し具３の内容物をすくうための窪みを２次曲面とすることも可能である。
【００２２】
前記トレイ４は、図２、３に示すように前記容器本体２の底面が載せられる載置部４１および前記載置部４１の外周に位置する縁部４２を有している。本実施形態では、前記容器本体２を円柱形状とし、前記容器本体２の本体２１の底面に合わせて前記載置部４１の平面形状を円形としており、前記載置部４１の上面は、前記本体２１の底面の少なくとも一部と当接し、前記容器本体２を安定して載置できる形状を有している。本実施形態では、前記本体２１の底面が平坦な面を有していることから、前記載置部４１の上面も円形の平坦な面を有しており、さらに、前記本体２１の底面の面取りの曲面に合わせた、前記縁部４２へとつながる側面を有しており、全体として凹部の形態をなしている。
【００２３】
前記縁部４２は、図２、３に示すように、前記載置部４１の外周に位置し、環状の部分と、前記環状の部分から１つの突出した部分からなる平面形状を有している。前記縁部４２の上面は、前記載置部４１との境界から外側に向かって傾斜しており、突出した部分は先端に向かってそのまま傾斜して厚みが薄くなっている。前記縁部４２の傾斜については、様々な形状が可能であり、例えば、凹状の湾曲面、凸状の湾曲面などが可能であり、デザイン性を考慮して部分的に傾斜角度を変えることも可能である。
【００２４】
前記トレイ４の載置部４１には、直径方向に延伸する溝部４３が中心を通るように形成されており、前記溝部４３の一端は、前記縁部４２を横断して前記縁部４２の外周部分で開口となっており、前記溝部４３の他端は前記載置部４１内に位置しており、前記取り出し具３を収容する空間を形成している。前記溝部４３の底面には前記溝部４３を横断するように１つの突部４４が形成されている。図５に示すように、前記取り出し具３を前記溝部４３に収容した際、前記取り出し具３は、前記突部４４によって内容物が付着している先端側が浮いた状態で支持されることから、前記取り出し具３から前記トレイ４に内容物が付着するのを防止することができる。前記突部４４の数は、１つに限定するものではなく２つ以上設けることも可能であり、前記取り出し具３の先端側が前記溝部４３と当接しないように配置すればよく、また、前記取り出し具３を取り出し易く配置することが好ましい。
【００２５】
前記溝部４３は、図３に示すように、前記溝部４３の途中から先端（前記縁部４２の開口側）に向かって徐々に幅が狭くなっており、前記載置部４１においては、前記載置部４１と前記縁部４２との境界において幅が最も狭くなるように形成されている。これにより、前記溝部４３は、前記取り出し具３を収容した際に先端側が収容される部分の方が幅が広くなり、前記取り出し具３の先端に付着している内容物が前記溝部４３の側面などに付着するのを防止することができ、前記取り出し具３を収容した状態で前記トレイ４を移動させた時に、前記取り出し具３の動きを制限することができる。前記溝部４３の幅についてはこの形態に限定するものではなく、前記取り出し具３の先端が収容される部分に十分な幅があればよい。
【００２６】
前記載置部４１は、前記溝部４３の両側に２つの窪みを有する湾曲面４５が設けられている。前記湾曲面４５は前記載置部４１の上面から前記溝部４３に向かって凹状に湾曲した傾斜面で形成されており、前記溝部４３とつながった窪みとなっており、前記載置部４１に前記容器本体２を載置した時に前記容器本体２の底面とは接触することが無い。前記湾曲面４５は、前記溝部４３に収容した取り出し具３を取り出し易くするために設けられており、図５に示すように、前記トレイ４の溝部４３内に前記取り出し具３を収容した状態から、前記取り出し具３を取り出す時に、２つの前記湾曲面４５に指先を入れると前記取り出し具３の下側に指先を入れやすいことから、前記取り出し具３を簡単に取り出すことができる。また、前記突部４４が前記湾曲面４５と隣接して配置されていることにより、２つの前記湾曲面４５に指先を入れると、前記突部４４によって支持された前記取り出し具３の下にできた隙間へと指先を入れ易くなっていることから、よりスムーズに前記取り出し具３を取り出すことができる。
【００２７】
前記載置部４１の上面については、上述のように湾曲した傾斜面を一部分に形成するだけでなく、上面のほぼ全体を曲面とすることも可能である。この場合、前記載置部４１に前記容器本体２を載せた時に安定する形状とする必要があり、また、前記容器本体２の底面も同様の曲面を少なくとも一部に形成する場合もある。
【００２８】
前記溝部４３の一端が、前記縁部４２の外側に突出した部分へと延伸して形成されており、突出した部分の上面が傾斜していることによって、前記溝部４３の一端が開口となって外部へとつながった状態となっている。これにより、図４に示すように、前記容器本体２を前記トレイ４に載せた状態では、前記溝部４３の一端が開口となり、開口から前記取り出し具３を出し入れすることができるので、図１に示すように、前記溝部４３に前記取り出し具３を収容し、前記容器本体２を載せた状態で、前記溝部４３から前記取り出し具３の端部が突出した状態で収容することができる。このような状態から、前記溝部４３から突出している前記取り出し具３の端部をつまんで前記取り出し具３を簡単に取り出すことができる。このように、本発明の取り出し具付き容器１は、前記取り出し具３の端部を突出した状態で収容することができることから、従来よりも長い取り出し具３を収容することが可能となる。
【００２９】
本実施形態における前記トレイ４は、前記載置部４１および前記縁部４２が樹脂を用いて一体に射出成形されており、図６に示すように、前記トレイ４の底面側には空間が存在し、前記溝部４３が下方に突出するように形成されていることから、前記トレイ４の成形に必要な材料を低減することができる。しかしながら、前記トレイ４の材質および成形方法については特に限定するものではなく、樹脂以外を用いること、そして、他の成形方法を用いることも可能であり、底面が平坦な形状とすることも可能である。
【００３０】
本発明の取り出し具付き容器１は、図１に示すように、前記トレイ４に前記容器本体２を載せた状態で、前記溝部４３内に前記取り出し具３を収容することができることから、前記取り出し具３の先端は、外部に露出されることがなくなり、また、このような状態から、前記取り出し具３が、前記溝部４３から突出している部分をつまんで、簡単に取り出すことも可能であり、また、前記溝部４３の端部の開口から簡単に前記取り出し具３を収容することもできる。さらに、前記容器本体２を前記トレイ４から取り外した状態であれば、前記取り出し具３は、図５の状態から、上方に簡単に取り出すことも可能である。
【００３１】
このように、本発明の取り出し具付き容器１は、前記取り出し具３を使用しない時に、先端を保護した状態で前記トレイ４内に収容可能であり、前記トレイ４に前記容器本体２を載せた状態および載せていない状態であっても、簡単に取り出すことが可能であり、様々な用途に使用することができる。
【００３２】
本発明の取り出し具付き容器１については、内容物として化粧料を使用することを想定して説明しているが、内容物については特に限定するものではなく、様々な用途に用いることができる。内容物に応じて前記取り出し具３についても適宜、変更することができる。
【００３３】
前記取り出し具付き容器１の容器本体２の形状については円柱形として記載しているが、多角形など様々な形状が可能であり、それに応じて、前記トレイ４の平面形状を変更すればよい。また、前記容器本体２を多角柱の形状としたとしても、前記本体２１の底面に前記載置部４１に載せることができる円形の突出した底部を設ければ、前記トレイ４の平面形状を変更することなく対応することも可能である。
【００３４】
次に、第２の実施形態の取り出し具付き容器１１について、図７〜１２を用いて説明する。第２の実施形態の化粧料容器１１は、第１の実施形態で用いた容器本体２および取り出し具３を用いていることから、前記容器本体２および前記取り出し具３の詳細な説明は省略する。
【００３５】
第２の実施形態の取り出し具付き容器１１は、図７、９に示すように、容器本体２、取り出し具３、および、前記容器本体２が載置されるトレイ４’を有する。前記容器本体２は、本体２１および蓋２２から構成されている。
【００３６】
前記トレイ４’は、図８、１０に示すように、前記容器本体２の底面が載せられる載置部４１’および前記載置部４１’の外周に位置する縁部４２’を有している。前記載置部４１’は、円柱形状の前記容器本体２の本体２１の底面に合わせて平面形状が円形であり、外周部分が平坦な環状を有し、環状の部分の内側には凹状の湾曲面４５’を有しており、環状の部分の外周から前記縁部４２’へとつながる側面を有しており、全体として凹部の形態をなしている。
【００３７】
前記トレイ４’の載置部４１’には、図１０に示すように、直径方向に延伸する溝部４３’が中心を通るように形成されている。前記溝部４３’は、前記載置部４１’の環状の部分および前記湾曲面４５’を横断し、一端が前記縁部４２’を横断して前記縁部４２’の外周部分で開口となっており、前記溝部４３’の他端は前記載置部４１’内に位置しており、前記取り出し具３を収容する空間を形成している。前記溝部４３’は前記湾曲面４５’とつながっていることから、前記溝部４３’の深さは、図８に示すように、前記湾曲面４５’によって変化しており、前記載置部４１’の中央付近で最も浅くなっている。そのために、前記湾曲面４５’を利用して、前記溝部４３’に収容された前記取り出し具３の下側に指先を入れ易くなっており、前記溝部４３’から取り出し具３を取り出し易くなっている。
【００３８】
前記溝部４３’の底面には１つの突部４４’が形成されており、前記取り出し具３を前記溝部４３’に収容した際、前記取り出し具３は、図１１に示すように、前記突部４４’よって支持され、先端側が浮いた状態となる。これにより、前記取り出し具３の先端に付着した内容物が前記溝部４３’内に付着するのを防止することができる。さらに、前記取り出し具３は、前記突部４４’によって支持されていることにより、前記突部４４’の付近では下方に隙間が生じており、このような状態にある前記取り出し具３を取り出す際に、前記湾曲面４５’に沿って指先を入れると、前記取り出し具３の下の隙間へと指先をスムーズに入れることができ、前記取り出し具３を取り出し易くなっている。
【００３９】
前記溝部４３’は、図１０に示すように、前記溝部４３’の途中から先端（前記縁部４２’の開口側）に向かって徐々に幅が狭くなっており、前記載置部４１’においては、前記載置部４１’と前記縁部４２’との境界において幅が最も狭くなるように形成されている。これにより、前記溝部４３’は、前記取り出し具３を収容した際に先端側が収容される部分の方が幅が広くなり、前記取り出し具３の先端に付着している内容物が前記溝部４３’の側面などに付着するのを防止することができる。
【００４０】
前記湾曲面４５’については、平坦な環状の部分をより少なくして、前記縁部４２’の境界近くまで広げることも可能であり、また、平面形状を、前記溝部４３’に沿って広がった楕円形状とすること、より複雑な湾曲面とすること、あるいは、前記湾曲面４５’内にさらに別の湾曲面を設けることも可能であり、湾曲面の領域および形状については特に限定するものではなく、前記容器本体２を安定して載置することができればよい。
【００４１】
前記縁部４２’は、前記載置部４１’の外周に位置し、環状の部分と、前記環状の部分から二方向に突出した部分からなる平面形状を有している。前記縁部４２’の上面は、前記載置部４１’との境界から外側に向かって傾斜しており、突出した部分は先端に向かってそのまま傾斜して厚みが薄くなっている。本実施形態では、第１の実施形態と異なり、図８、１０、１２に示すように、前記縁部４２’は、二方向に突出した部分を有しており、そのうちの１つの突出した部分の上面に、上下に貫通する貫通孔４６が形成されており、さらに、前記貫通孔４６から下方に延伸する筒状のリブ４７が形成されている。前記貫通孔４６に前記取り出し具３を立てた状態で上から端部を挿入することにより、図７に示すように、前記トレイ４’は前記取り出し具３を立てた状態で保持することができる。本実施形態では、前記縁部４２’の上面は厚みが薄いことから、図１２に示すような前記リブ４７を設けることにより、前記取り出し具３を安定した状態で保持することができる。
【００４２】
前記貫通孔４６の平面形状は、前記取り出し具３を挿入して保持できるように形成されており、そして、前記リブ４７は前記貫通孔４６の輪郭に沿って下方に延伸されている。しかしながら、前記リブ４７については、筒状の形態に限定するものではなく、前記取り出し具３を起立して保持できればよいことから、対向する２つのリブ、あるいは、間隔を空けて配置された複数のリブとすることも可能であり、また、前記リブ４７の延伸方向についても垂直方向に限定するものではなく、傾斜をつけることも可能であり、例えば、前記取り出し具３の先端を前記容器本体２から離れる方向に傾斜した状態で前記取り出し具３を保持できるよう前記リブ４７を傾斜させることも可能である。そして、前記縁部４２’の上面の厚みを厚くすることにより、前記リブ４７を省略することも可能である。
【００４３】
前記溝部４３’の一端は、前記縁部４２’の突出した部分の１つに形成されており、突出した部分の上面が傾斜していることによって、前記溝部４３’の一端は開口となって外部へとつながった状態となっている。これにより、図９に示すように、前記溝部４３’に前記取り出し具３を収容した際に、前記溝部４３’から前記取り出し具３の端部が突出した状態で収容することができ、前記溝部４３’から突出している前記取り出し具３の端部をつまんで前記取り出し具３を取り出すことができるようになる。
【００４４】
本実施形態では、図１０に示すように、前記縁部４２’の二方向に突出した部分が１８０°の位置関係で配置されているが、突出した部分の位置関係は特に限定するものではなく、また、その数についても二方向に限定するものではない。また、突出した部分を三方向以上とした場合、１つに前記溝部４３’の一端を設け、残りの２つにそれぞれ貫通孔を形成することも可能である。また、前記貫通孔４６については、前記縁部４２’を突出させた部分に形成する必要は無く、前記縁部４２’の幅を広げて貫通孔を形成することも可能であり、数についても限定するものではなく、複数形成することも可能である。
【００４５】
本実施形態の取り出し具付き容器１１は、第１の実施形態と同様に、図９に示すように、前記トレイ４’に前記容器本体２を載せた状態で、溝部４３’を用いて取り出し具３を収容することが可能であり、さらに、前記トレイ４’に貫通孔４６を設けることによって、図７に示すように、取り出し具３を立てた状態で前記トレイ４’に置くことも可能となる。これにより、前記トレイ４’に前記容器本体２を載せた状態で内容物を使用している時に、前記貫通孔４６を利用して取り出し具３を簡単に前記トレイ４’に仮置きすることが可能となり、より、利便性が向上する。このように、本実施形態の取り出し具付き容器１１は、使用状況に応じて異なる方法で取り出し具３を収容・保持することができるようになる。
【符号の説明】
【００４６】
１，１１    取り出し具付き容器
２          容器本体
２１        本体
２２        蓋
３          取り出し具
４，４’    トレイ
４１，４１’  載置部
４２，４２’  縁部
４３，４３’  溝部
４４，４４’  突部
４５，４５’  湾曲面
４６          貫通孔
４７          リブ
【図１】
2020171598.tif 000003
【図２】
2020171598.tif 000004
【図３】
2020171598.tif 000005
【図４】
2020171598.tif 000006
【図５】
2020171598.tif 000007
【図６】
2020171598.tif 000008
【図７】
2020171598.tif 000009
【図８】
2020171598.tif 000010
【図９】
2020171598.tif 000011
【図１０】
2020171598.tif 000012
【図１１】
2020171598.tif 000013
【図１２】
2020171598.tif 000014